(57)【要約】【課題】端子の数を減らして小型化を図ると共に、実使用状態での中間周波信号によるテレビジョン受信機内の他の回路への影響を無くす。【解決手段】周波数変換して中間周波信号を出力するチューナ部４と、中間周波信号を復調して少なくとも音声信号を出力する復調部５と、チューナ部４及び復調部５を収納する枠体１と、枠体１に取り付けられて音声信号を外部に出力する端子３ａとを備え、端子３ａを、復調部５の音声信号出力端５ｂに接続すると共に、開閉手段７を介してチューナ部４の中間周波信号出力端４ｂに接続した。【選択図】　　　　図１
0003097065.tif 000002
【実用新案登録請求の範囲】
【請求項１】
周波数変換して中間周波信号を出力するチューナ部と、前記中間周波信号を復調して少なくとも音声信号を出力する復調部と、前記チューナ部及び前記復調部を収納する枠体と、前記枠体に取り付けられて前記音声信号を外部に出力する端子とを備え、前記端子を、前記復調部の音声信号出力端に接続すると共に、開閉手段を介して前記チューナ部の中間周波信号出力端に接続したことを特徴とするテレビジョンチューナユニット。
【請求項２】
前記開閉手段をダイオードで構成すると共に前記ダイオードのアノードに固定のバイアス電圧を印加し、エミッタが接地されると共にコレクタが給電抵抗を介してプルアップされたスイッチトランジスタを設け、前記スイッチトランジスタのコレクタと前記ダイオードのカソードとをインダクタンス素子によって相互接続したことを特徴とする請求項１に記載のテレビジョンチューナユニット。
【請求項３】
前記チューナ部にはエミッタが前記中間周波信号出力端に接続されたエミッタフォロワトランジスタを設け、前記ダイオードのアノードを前記中間周波信号出力端に接続したことを特徴とする請求項２に記載のテレビジョンチューナユニット。
【請求項４】
前記端子と前記復調部の音声信号出力端との間に抵抗を介挿したことを特徴とする請求項１乃至３のいずれかに記載のテレビジョンチューナユニット。
【考案の詳細な説明】
【０００１】
【考案の属する技術分野】
本考案はチューナ部と復調部とを有するテレビジョンチューナユニットに関する。
【０００２】
【従来の技術】
従来のテレビジョンチューナユニットを図４に従って説明する。図４は従来のテレビジョンチューナの内部構成を示し、金属製の枠体（ケース）３０の一側板３０ａにはコネクタ３１が取り付けられ、また、他の側板３０ｂにはテレビジョン受信機本体のマザー基板（図示せず）に接続される複数の端子３２が取り付けられる。枠体３０内に収納された回路基板（図示せず）上にはチューナ部３３、復調部３４等が構成される。
【０００３】
チューナ部３３内には同調回路、周波数変換回路等が構成される。そして、コネクタ３１を介してチューナ部３３に入力されたテレビジョン信号は周波数変換回路によって中間周波信号に変換され、中間周波信号は中間周波信号出力端３３ａから出力される。チューナ部３３から出力された中間周波信号はＳＡＷフィルタ３５を介して復調部３４に入力される。また、中間周波信号の特性を外部の機器によってチェックする必要があることから、中間周波信号出力端３３ａは端子３２ａに接続される。
【０００４】
復調部３４は集積回路によって構成されており、入力された中間周波信号を復調して映像信号、音声信号等を出力する。これらの信号はそれぞれ端子３２に出力されるが、音声信号は音声信号出力端３４ａに出力される。そして、音声信号出力端３４ａが抵抗３６を介して端子３２ｂに接続されると共に、抵抗３７によってグランドに接続される。
【０００５】
以上のように構成されたテレビジョンチューナユニットはその製造工程において各種の性能がチェックされる。そのため、テレビジョンチューナは測定用のジグ（図示せず）に装着され、各端子からジグの端子に信号が入力されるようになっている。そして、例えば中間周波信号の性能チェックにおいては中間周波信号が端子３２ａからジグに入力される。
【０００６】
【考案が解決しようとする課題】
中間周波信号を外部に出力する端子３２ａは特性のチェックのために設けられており、実使用状態では使用されることが無い。よってこの端子を他の端子で代用できれば端子数を減らすことができる。また、実使用状態ではこの端子から常に中間周波信号が出力されているので、中間周波信号がテレビジョン受信機内の他の回路に影響を及ぼして妨害を起こすおそれがある。
【０００７】
本考案は、端子の数を減らして小型化を図ると共に、実使用状態での中間周波信号によるテレビジョン受信機内の他の回路への影響を無くすことを目的とする。
【０００８】
【課題を解決するための手段】
上記課題を解決するため、周波数変換して中間周波信号を出力するチューナ部と、前記中間周波信号を復調して少なくとも音声信号を出力する復調部と、前記チューナ部及び前記復調部を収納する枠体と、前記枠体に取り付けられて前記音声信号を外部に出力する端子とを備え、前記端子を、前記復調部の音声信号出力端に接続すると共に、開閉手段を介して前記チューナ部の中間周波信号出力端に接続した。
【０００９】
また、前記開閉手段をダイオードで構成すると共に前記ダイオードのアノードに固定のバイアス電圧を印加し、エミッタが接地されると共にコレクタが給電抵抗を介してプルアップされたスイッチトランジスタを設け、前記スイッチトランジスタのコレクタと前記ダイオードのカソードとをインダクタンス素子によって相互接続した。
【００１０】
また、前記チューナ部にはエミッタが前記中間周波信号出力端に接続されたエミッタフォロワトランジスタを設け、前記ダイオードのアノードを前記中間周波信号出力端に接続した。
【００１１】
また、前記端子と前記復調部の音声信号出力端との間に抵抗を介挿した。
【００１２】
【考案の実施の形態】
図面に従って本考案のテレビジョンチューナユニットを説明する。図１において、金属製の枠体（ケース）１の一側板１ａにはコネクタ２が取り付けられる。また、他の側板１ｂにはテレビジョン受信機本体のマザー基板（図示せず）に接続される複数の端子３が取り付けられる。枠体１内に収納された回路基板（図示せず）上にはチューナ部４、復調部５等が構成される。
【００１３】
チューナ部４内には同調回路、周波数変換回路、中間周波回路等が構成される。そして、コネクタ２を介してチューナ部４に入力されたテレビジョン信号は周波数変換回路によって中間周波信号に変換される。中間周波信号は中間周波回路に設けられたエミッタフォロワトランジスタ４ａのエミッタから中間周波信号出力端４ｂに出力される。中間周波出力端４ｂはＳＡＷフィルタ６の入力端に接続されると共に開閉手段であるダイオード７のアノードに接続される。ＳＡＷフィルタ６の出力端は復調部５の中間周波信号入力端５ａに接続される。また、ダイオード７のカソードは端子３ａに接続される。よって、ダイオード７のアノードにはエミッタフォロワトランジスタ４ａのエミッタ電圧によって固定の値にバイアスされる。
【００１４】
また、チューナ部４にはスイッチトランジスタ４ｃと制御端４ｄとが設けられ、スイッチトランジスタ４ｃのコレクタは給電抵抗４ｅを介して電源にプルアップされ、エミッタは接地される。そして、制御端４ｄがインダクタンス素子８によってダイオード７のカソードに接続される。よって、ダイオード７のカソードはスイッチトランジスタ４ｃのエミッタに直流的に接続される。一方、復調部５は映像信号、音声信号等を出力し、音声信号は音声信号出力端５ｂから出力される。音声信号出力端５ｂは抵抗９によって端子３ａに接続されると共に、抵抗１０によってグランドに接続される。
【００１５】
なお、スイッチトランジスタ４ｃは必ずしもチューナ部４内に設ける必要はなく、チューナ部４の外部に独立して設けてもよい。また、端子３ａ以外の端子３２はそれぞれの使用目的に対応してチューナ部４及び復調部５に接続される。
【００１６】
以上の構成において、テレビジョンチューナユニットをテレビジョン受信機等に組み込んで実際に使用するときは、スイッチトランジスタ４ｃをオフにする。すると、ダイオード７のカソード電位が高くなってこれがオフとなり、図２に示すような接続関係が構成される。従って、端子３ａには復調部５からの音声信号のみが出力される。このとき、端子３２はインダクタンス素子８と給電抵抗４ｅとの直列回路によってプルアップされるので音声信号が減衰されることはない。
【００１７】
一方、テレビジョンチューナユニットの製造工程において、中間周波信号の特性評価をする時には、スイッチトランジスタ４ｃをオンにする。すると、ダイオード７のカソード電位が低くなってこれがオンなり、図３に示すような接続関係が構成される。従って、端子３ａはチューナ部４の中間周波信号出力端４ａに接続されるので、中間周波信号は端子３ａに出力される。この時、端子３ａには復調部５からの音声信号も出力されるが、音声信号は中間周波信号に対して周波数が大きく離れているので音声信号の影響はほとんど受けることがない。また、端子３ａと音声出力端５ｂとの間には抵抗９が介在しているので、中間周波信号が復調部５側に大きく漏れることがなく、中間周波信号への影響が少ない。さらに、端子３ａにはインダクタンス８が接続されているので減衰も少ない。
【００１８】
【考案の効果】
以上説明したように、周波数変換して中間周波信号を出力するチューナ部と、中間周波信号を復調して少なくとも音声信号を出力する復調部と、チューナ部及び復調部を収納する枠体と、枠体に取り付けられて音声信号を外部に出力する端子とを備え、端子を、復調部の音声信号出力端に接続すると共に、開閉手段を介してチューナ部の中間周波信号出力端に接続したので、開閉手段の開閉によって端子には音声信号又は中間周波信号を出力できる。よって、テレビジョン受信機に組み込んで使用する時には開閉手段を開状態にすることによって、音声信号を受信機内に導出することが出来、その場合は中間周波信号が端子に出力されないので、受信機内のたの回路に影響を及ぼさない。また、製造工程等において、中間周波信号の特性を評価するときには開閉手段を閉状態にすれば端子から中間周波信号を取り出せる。
【００１９】
また、開閉手段をダイオードで構成すると共にダイオードのアノードに固定のバイアス電圧を印加し、エミッタが接地されると共にコレクタが給電抵抗を介してプルアップされたスイッチトランジスタを設け、スイッチトランジスタのコレクタとダイオードのカソードとをインダクタンス素子によって相互接続したので、端子に中間周波信号を出力するときにはインダクタンス素子の介在によって中間周波信号がスイッチトランジスタ側に漏れず、中間周波信号の減衰も防げる。
【００２０】
また、チューナ部にはエミッタが中間周波信号出力端に接続されたエミッタフォロワトランジスタを設け、ダイオードのアノードを中間周波信号出力端に接続したので、ダイオードにはエミッタフォロワトランジスタから固定のバイアス電圧が供給される。よって、ダイオードのオン／オフ制御が簡単になる。
【００２１】
また、端子と復調部の音声信号出力端との間に抵抗を介挿したので、端子に中間周波信号を出力するときに、中間周波信号が復調部側に入力されず、信号の減衰も無く、また復調部が中間周波信号によって影響を受けることもない。
【図面の簡単な説明】
【図１】本考案のテレビジョンチューナユニットの内部構成の説明図である。
【図２】本考案のテレビジョンチューナユニットの内部構成の接続図である。
【図３】本考案のテレビジョンチューナユニットの内部構成の接続図である。
【図４】従来のテレビジョンチューナユニットの内部構成の説明図である。
【符号の説明】
１　枠体
１ａ、１ｂ　側板
２　コネクタ
３、３ａ　端子
４　チューナ部
４ａ　エミッタフォロワトランジスタ
４ｂ　中間周波信号出力端
４ｃ　スイッチトランジスタ
４ｄ　制御端
４ｅ　給電抵抗
５　復調部
５ａ　中間周波信号入力端
５ｂ　音声信号出力端
６　ＳＡＷフィルタ
７　開閉手段（ダイオード）
８　インダクタンス素子
９、１０　抵抗
【図１】
0003097065.tif 000003
【図２】
0003097065.tif 000004
【図３】
0003097065.tif 000005
【図４】
0003097065.tif 000006